(57)【要約】  より「グリーン」であるアルキレートガソリン組成物、および「グリーン」な再生可能なナフサおよびイソオクタンを含むアルキレートガソリン組成物が開示される。特には、より「グリーン」であるアルキレートガソリン組成物、および「グリーン」な再生可能なナフサおよびイソオクタンおよびイソペンタンを含むアルキレートガソリン組成物を製造するためのプロセスが記載される。このような組成物は、イソオクタンおよびイソペンタンの組み合わせを添加しない場合と比べて、再生可能なナフサのより高い混合比率および／またはより高いリサーチオクタン価（ＲＯＮ）、モーターオクタン価（ＭＯＮ）および蒸気圧を可能にする。【特許請求の範囲】
【請求項１】
（ａ）９０ｖｏｌ％以上のＣ5〜Ｃ12パラフィン、
５ｖｏｌ％以下のナフテン、
１ｖｏｌ％以下の芳香族化合物、
１ｖｏｌ％以下の含酸素添加剤
を含み、
ＲＯＮが少なくとも８７である
化石起源のアルキレートベースのガソリンであって、アルキレートベースの燃料が総計のガソリン組成物の４０〜９０ｖｏｌ％の範囲の量であるアルキレートベースのガソリン、
（ｂ）９０ｖｏｌ％以上のＣ5〜Ｃ12パラフィン、
３０ｖｏｌ％以上のＣ5〜Ｃ6パラフィン、
５ｖｏｌ％以下のナフテン、
１ｖｏｌ％以下の芳香族化合物、
１ｖｏｌ％以下の含酸素添加剤
を含む再生可能なナフサ蒸留物であって、総計のガソリン組成物の１ｖｏｌ％以上の量である再生可能なナフサ蒸留物、および
（ｃ）少なくとも９５であるＲＯＮを有する一または複数のＣ6〜Ｃ12イソパラフィンであって、総計のガソリン組成物の１０〜３０ｖｏｌ％の範囲の量であるＣ6〜Ｃ12イソパラフィン、
を混合することを含むガソリン組成物を製造するための方法。
【請求項２】
前記再生可能なナフサ蒸留物が、前記総計のガソリン組成物の３ｖｏｌ％以上の量である請求項１記載の方法。
【請求項３】
前記一または複数のＣ6〜Ｃ12イソパラフィンが、２，３−ジメチルブタン、イソオクタン、２，２，４−トリメチルペンタン、２，３，３−トリメチルペンタン、２，２，３−トリメチルペンタン、２，２，３−トリメチルブタンからなるリストから選択される請求項１または２記載の方法。
【請求項４】
前記一または複数のＣ6〜Ｃ12イソパラフィンがイソオクタンである請求項１〜３のいずれか１項に記載の方法。
【請求項５】
（ｄ）１０〜３５ｖｏｌ％の量である一または複数のＣ4〜Ｃ5パラフィン
をさらに含み、ここで、前記Ｃ4〜Ｃ5パラフィンは、イソペンタン、イソブタン、ｎ−ブタン、ネオペンタンからなるリストから選択される請求項１〜４のいずれか１項に記載の方法。
【請求項６】
前記Ｃ4〜Ｃ5パラフィンがイソペンタンである請求項５記載の方法。
【請求項７】
前記再生可能なナフサ蒸留物が、１より大きい、例えば１．２より大きいイソパラフィン／ｎ−パラフィン比率を含む請求項１〜６のいずれか１項に記載の方法。
【請求項８】
前記再生可能なナフサ蒸留物が、３５〜６０、例えば３５〜５０のＲＯＮを有する請求項１〜７のいずれか１項に記載の方法。
【請求項９】
前記ガソリン組成物が、
９０ｖｏｌ％以上のＣ5〜Ｃ12パラフィン、
１ｖｏｌ％以下のナフテン、
１ｖｏｌ％以下の芳香族化合物、
１ｖｏｌ％以下の含酸素添加剤、
少なくとも９２であるＲＯＮ、
少なくとも５０ｐＫａ、好ましくは少なくとも５３ｋＰａ、例えば少なくとも５５ｐＫａである蒸気圧、および
任意には少なくとも９０であるＭＯＮ
を含む請求項１〜８のいずれか１項に記載の方法。
【請求項１０】
前記化石起源のアルキレートベースのガソリンが５０ｐＫａ以上の蒸気圧を含み、および／または、前記再生可能なナフサ蒸留物が３５〜６０のＲＯＮを有する請求項１〜９のいずれか１項に記載の方法。
【請求項１１】
前記ガソリン組成物が小型汎用エンジンのためのものである請求項１〜１０のいずれか１項に記載の方法。
【請求項１２】
（ａ）総計のガソリン組成物の４０〜９０ｖｏｌ％の範囲の量である、９０ｖｏｌ％以上のＣ5〜Ｃ12パラフィンを含む化石起源のアルキレートベースのガソリン、
（ｂ）総計のガソリン組成物の１〜１０ｖｏｌ％の範囲の量である、９０ｖｏｌ％以上のＣ5〜Ｃ12パラフィンと、３０ｖｏｌ％以上のＣ5〜Ｃ6パラフィンとを含む再生可能なナフサ蒸留物、および
（ｃ）総計のガソリン組成物の１０〜３０ｖｏｌ％の範囲の量である、少なくとも９５であるＲＯＮを有する一または複数のＣ6〜Ｃ12イソパラフィン
を含む小型汎用エンジンのためのガソリン組成物であって、
前記ガソリン組成物が、
９０ｖｏｌ％以上のＣ5〜Ｃ12パラフィン、
１ｖｏｌ％以下のナフテン、
１ｖｏｌ％以下の芳香族化合物、
１ｖｏｌ％以下の含酸素添加剤、
少なくとも９３であるＲＯＮ
を含むガソリン組成物。
【請求項１３】
前記再生可能なナフサ蒸留物が、前記総計のガソリン組成物の３ｖｏｌ％以上の量である請求項１２記載のガソリン組成物。
【請求項１４】
前記一または複数のＣ6〜Ｃ12イソパラフィンが、２，３−ジメチルブタン、イソオクタン、２，２，４−トリメチルペンタン、２，３，３−トリメチルペンタン、２，２，３−トリメチルペンタン、２，２，３−トリメチルブタンからなるリストから選択される請求項１２または１３記載のガソリン組成物。
【請求項１５】
前記一または複数のＣ6〜Ｃ12イソパラフィンがイソオクタンである請求項１４記載の方法。
【請求項１６】
（ｄ）１０〜３５ｖｏｌ％の量である一または複数のＣ4〜Ｃ5パラフィン
をさらに含み、ここで、前記Ｃ4〜Ｃ5パラフィンは、イソペンタン、イソブタン、ｎ−ブタン、ネオペンタンからなるリストから選択される請求項１２〜１５のいずれか１項に記載のガソリン組成物。
【請求項１７】
前記Ｃ4〜Ｃ5パラフィンがイソペンタンである請求項１６記載のガソリン組成物。
【請求項１８】
請求項１２〜１８のいずれか１項に記載のガソリン組成物または請求項１〜１１のいずれか１項に記載の方法により製造されるガソリン組成物の、火花点火機関における使用。
【請求項１９】
前記火花点火機関が、２−ストローク機関または４−ストローク機関である請求項１８記載の使用。
【請求項２０】
前記火花点火機関が、携帯型ガソリン動力ツールの一部であり、および／または、前記火花点火機関は、５００ｃｍ3以下のシリンダー排気量を有する請求項１８または１９記載の使用。
【請求項２１】
前記火花点火機関が、園芸用具、林業用具、チェーンソー、刈払機、船外機、芝刈り機、ローントラクター、草刈り機、噴射式除雪機、スノーモービル、背負い式ブロワーまたはサッカー、水上スキー、ジェットスキー、モトクロス、コンクリートミキサー、または発電機のための機関からなるリストから選択される請求項１７〜２０のいずれか１項に記載の使用。
【請求項２２】
化石起源の小型エンジン用ガソリンである主要部分と、小割合の再生可能なナフサ蒸留物とを含む小型エンジン用ガソリン中の再生可能な成分としての再生可能なナフサ蒸留物の使用であって、
前記再生可能なナフサ蒸留物が、
９０ｖｏｌ％以上のＣ5〜Ｃ12パラフィン、
３０ｖｏｌ％以上のＣ5〜Ｃ6パラフィン、
５ｖｏｌ％以下のナフテン、
１ｖｏｌ％以下の芳香族化合物、
１ｖｏｌ％以下の含酸素添加剤
を含む使用。
【請求項２３】
前記再生可能なナフサ蒸留物が、３０〜２００℃内、好ましくは４０〜１８０℃内である沸点範囲を有する請求項２２記載の使用。
【請求項２４】
前記再生可能なナフサ蒸留物の部分が、総計のガソリン組成物の３ｖｏｌ％以上、好ましくは５ｖｏｌ％以上の量である請求項２２または２３記載の使用。
【発明の詳細な説明】
【技術分野】
【０００１】
本発明は、例えばアルキレートガソリンなどの小型エンジン用ガソリンの分野に関し、特には、ガソリン組成物を調製するためのプロセスおよび小型汎用エンジンのためのガソリン組成物、およびそのようなガソリン組成物の火花点火機関における使用、ならびに、小型エンジン用ガソリンにおける再生可能な成分としての再生可能なナフサ留分の使用に関する。
【背景技術】
【０００２】
小型汎用エンジンは、例えばチェーンソーまたは芝刈り機などの様々な携帯可能なガソリン動力ツールにおいて使用されている。これらのエンジンは、ガソリン（別に、米国外では、ガソリン（petrol）としても知られている）、ガソリンスタンドから通常入手され得る例えばオクタン価（ＲＯＮ）９５の無鉛レギュラーガソリンなどで作動する。これらの小型汎用エンジンは、典型的には、２−ストロークまたは４−ストローク火花点火機関である。これらの小型汎用エンジンは、携帯型ガソリン動力ツールにおいて通常使用されているという事実に起因して、経済的な観点からだけでなく重量および複雑さの観点の両方の観点から、例えば自動車のエンジンなどと同等の排気効率であるようにこれらのエンジンを製造することは実現可能ではない。その結果、オクタン価（ＲＯＮ）９５の無鉛レギュラーガソリンで作動する携帯可能なガソリン動力ツールは、典型的には、近代の（例えば２００６年型モデルまたはそれより新しい）車のエンジンと比較して顕著に多くの炭化水素を排出する。炭化水素の排出、とりわけ例えば芳香族化合物（これはオクタン価（ＲＯＮ）９５の無鉛レギュラーガソリン中に大量に存在している）などの有害な炭化水素の排出は、環境にとって、およびこのような排出に暴露される人々の健康にとって要求が厳しい。これは特に、日常的に例えば芝刈り機などからの排出に暴露されている専門家としての庭師やチェーンソーを使用して毎日木を伐っている専門家としての木材切り出し人の場合に当てはまる。
【０００３】
このような受け入れがたい排出はまた、小型汎用エンジンを室内で作動する場合に換気装置の必要性を増加させ、例えばインドアモトクロスなどの場合など、モトクロスエンジンとしてのこのような小型汎用エンジンからの高すぎる排出が原因で禁止とならないようにするには、大規模な換気を必要とする。
【０００４】
小型エンジン用ガソリンは、刺激の少ない匂いおよびガソリンスタンドからのオクタン価（ＲＯＮ）９５の無鉛レギュラーガソリンと比較して低い排出レベルを有するように開発されてきており、したがって、小型エンジン用ガソリンは主にパラフィンを含み、およびベンゼンなどの芳香族化合物は含まないかほぼ含まず、また、エタノールなどの含酸素添加剤もほぼ含まないか通常は全く含まない。それはまた、ナフテンおよびオレフィンをほとんど含まないか全く含まない。小型エンジン用ガソリンが主にパラフィンから構成されているので、それは刺激の少ない匂いをもち、および、よりきれいに燃焼し、より少量の特定の排気放出物およびより少ない堆積物しか生成しない。含酸素添加剤を含まない、特にはエタノールを含まないことが小型汎用エンジンをより長期間よりきれいに作動させることを助けている。最後に、エタノールは水分を吸収し、および、例えば冬のあいだの芝刈り機など、携帯型のガソリン動力ツールが長い期間保管されていると、エタノールが水分を吸収し、そして腐食を引き起こすかもしれない。水エタノール混合物が炭化水素から分離すると、オクタン価は許容され得ないものとなり得る。
【０００５】
オクタン価９（ＲＯＮ）５の無鉛レギュラーガソリンへのバイオエタノールの添加は、ガソリンの再生可能な分量を増加させ、およびしたがって化石ガソリン製品の「グリーン」プロファイルを増加させる。
【０００６】
小型エンジン用ガソリンは排出を少なく維持し、および保管安定性を改良し、したがって、オクタン価（ＲＯＮ）９５の無鉛レギュラーガソリンと比較して小型汎用エンジンのための改良された燃料を提供している。しかしながら、小型エンジン用ガソリンは、化石由来のものから得られており、これは現段階では経済的に最も実行可能であるためである。
【０００７】
芳香族化合物および含酸素添加剤は共に、同じ炭素鎖長の対応する飽和パラフィンと比較すると高いオクタン価を有している。アルキレート中にこれらの化合物が存在していないことは、オクタン価（ＲＯＮ）を高めるために使用される鉛などの添加剤なしにオクタン価などの仕様を達成することへの挑戦を示している。
【発明の概要】
【０００８】
本発明は、上述の先行技術に鑑みて為され、ならびに、本発明の目的は、エンジン操作性、排出物および保管に関する困難な要素である、「グリーン」含量がより多くかつエタノールおよびＭＴＢＥなどの含酸素添加剤を含まない小型エンジン用ガソリンとして使用されるための仕様を満たす小型エンジン用ガソリンを提供することである。特には、「グリーン」含量がより多い小型エンジン用ガソリンとして使用されるための仕様を満たす小型エンジン用ガソリンおよび小型エンジン用ガソリンの組成物を製造するためのプロセスまたは代替的なプロセスを少なくとも提供することへの願望がある。
【０００９】
当該課題を解決するために、本発明は、ガソリン組成物を製造するためのプロセスであって、（ａ）９０ｖｏｌ％以上のＣ5〜Ｃ12パラフィン、５ｖｏｌ％以下のナフテン、１ｖｏｌ％以下の芳香族化合物、１ｖｏｌ％以下の含酸素添加剤を含み、ＲＯＮが少なくとも８７である、例えば化石起源アルキレートベースのガソリンなどのアルキレートベースのガソリンであって、アルキレートベースの燃料が総計のガソリン組成物の４０〜９０ｖｏｌ％の範囲の量であるアルキレートベースのガソリン、（ｂ）９０ｖｏｌ％以上のＣ5〜Ｃ12パラフィン、３０ｖｏｌ％以上のＣ5〜Ｃ6パラフィン、５ｖｏｌ％以下のナフテン、１ｖｏｌ％以下の芳香族化合物、１ｖｏｌ％以下の含酸素添加剤を含む再生可能なナフサ蒸留物であって、総計のガソリン組成物の１ｖｏｌ％以上、例えば３ｖｏｌ％以上、例えば５ｖｏｌ％以上など、例えば３〜１０ｖｏｌ％の範囲などの量である再生可能なナフサ蒸留物、および（ｃ）少なくとも９５であるＲＯＮを有する一または複数のＣ6〜Ｃ12イソパラフィンであって、総計のガソリン組成物の１０〜３０ｖｏｌ％の範囲の量であるＣ6〜Ｃ12イソパラフィン、を混合することを含む。
【００１０】
すなわち、本発明の発明者らは、本発明の第１の態様において、少なくとも９５であるオクタン価（ＲＯＮ）を有するイソオクタンおよび／または一または複数のイソパラフィンが混合されているならば、約３５〜５０という低いオクタン価（ＲＯＮ）を有する再生可能なナフサ蒸留物が化石起源アルキレートベースのガソリンと混合され得て、かつ、オクタン価（ＲＯＮ）をそれでも維持できるということを見出した。
【００１１】
少なくとも９５であるオクタン価（ＲＯＮ）を有する一または複数のイソパラフィンは、Ｃ6〜Ｃ12イソパラフィン、例えば、２，３−ジメチルブタン、イソオクタン、２，２，４−トリメチルペンタン、２，３，３−トリメチルペンタン、２，２，３−トリメチルペンタン、２，２，３−トリメチルブタンからなるリストなどから選択され得る。例えば、Ｃ6〜Ｃ12イソパラフィンはイソオクタンであり得る。
【００１２】
プロセスはまた、（ｄ）１０ｖｏｌ％以上、例えば１０〜３５ｖｏｌ％以上のあいだなどの量である一または複数のＣ4〜Ｃ5パラフィン、を添加することをさらに含んでいてもよく、ここで、Ｃ4〜Ｃ5パラフィンは、イソペンタン、イソブタン、ｎ−ブタン、ネオペンタンからなるリストから選択される。
【００１３】
本発明の発明者らは、少なくとも９５であるオクタン価（ＲＯＮ）を有するイソオクタンおよび／または一または複数のイソパラフィンをイソペンタンおよび／または一または複数のＣ4〜Ｃ5パラフィンと混合することによって、典型的には約３５〜５０である低いオクタン価（ＲＯＮ）および１５〜２５ｋＰａである低い蒸気圧を有する再生可能なナフサ蒸留物が化石起源アルキレートベースのガソリンと混合され得て、かつ、蒸気圧ばかりでなく例えばリサーチオクタン価（ＲＯＮ）およびモーターオクタン価（ＭＯＮ）などの重要なパラメータをそれでも維持できるということを見出した。驚くべきことに、高いオクタン価（ＲＯＮ＝１００）および低い蒸気圧（２０℃で５．５ｋＰａ）を有するイソオクタンを、より低いオクタン価（ＲＯＮ＝９２）およびより高い蒸気圧（２０℃で７７ｋＰａ）を有するイソペンタンに添加する効果は、ＲＯＮ、ＭＯＮおよび蒸気圧における効果を相殺せず、むしろ、イソオクタンおよびイソペンタンの組み合わせを添加しない場合と比べて再生可能なナフサのより高い混合比率および／またはより高いＲＯＮ、ＭＯＮおよび蒸気圧を可能にした、ということが発見された（イソオクタンおよびイソペンタンを使用しない実施例１、実験３をイソオクタンおよびイソペンタンが添加された実験７と比較のこと。関連するパラメータ：ＲＯＮ、ＭＯＮおよび蒸気圧は、添加なしの場合と比較してより高く、これは、再生可能なナフサのより高い混合比率が使用され得ることを意味している）。
【００１４】
再生可能なナフサ蒸留物は、１より大きい、例えば１．２より大きいなどのイソパラフィン／ｎ−パラフィン比率を含み得る。
【００１５】
本発明の別の態様において、プロセスにしたがって得られ得るガソリン組成物が提供される。
【００１６】
本発明の別の態様において、小型汎用エンジンのためのガソリン組成物が提供される。それは、（ａ）総計のガソリン組成物の４０〜９０ｖｏｌ％の範囲の量である、９０ｖｏｌ％以上のＣ5〜Ｃ12パラフィンを含む化石起源アルキレートベースのガソリン、（ｂ）総計のガソリン組成物の１〜１０ｖｏｌ％の範囲の量である、９０ｖｏｌ％以上のＣ5〜Ｃ12パラフィン、３０ｖｏｌ％以上のＣ5〜Ｃ6パラフィンを含む再生可能なナフサ蒸留物、および（ｃ）総計のガソリン組成物の１０〜３０ｖｏｌ％の範囲の量である、少なくとも９５であるＲＯＮを有する一または複数のＣ6〜Ｃ12イソパラフィンを含み、ここで、ガソリン組成物は、９０ｖｏｌ％以上のＣ5〜Ｃ12パラフィン、１ｖｏｌ％以下のナフテン、１ｖｏｌ％以下の芳香族化合物、１ｖｏｌ％以下の含酸素添加剤を含み、少なくとも９２、例えば少なくとも９３であるＲＯＮを有する。
【００１７】
一または複数のＣ6〜Ｃ12イソパラフィンは、２，３−ジメチルブタン、イソオクタン、２，２，４−トリメチルペンタン、２，３，３−トリメチルペンタン、２，２，３−トリメチルペンタン、２，２，３−トリメチルブタンからなるリストなどから選択され得、および、一または複数のＣ6〜Ｃ12イソパラフィンはイソオクタンであってもよい。
【００１８】
ガソリン組成物は、さらに、（ｄ）１０〜３５ｖｏｌ％の量である一または複数のＣ4〜Ｃ5パラフィン、を含んでいてもよく、ここで、Ｃ4〜Ｃ5パラフィンは、イソペンタン、イソブタン、ｎ−ブタン、ネオペンタンからなるリストから選択される。一または複数のＣ4〜Ｃ5イソパラフィンは、イソペンタンであってもよい。
【００１９】
本発明の別の態様において、本発明のプロセスにしたがって得られ得るガソリン組成物の使用、または、本発明のプロセスにしたがって得られ得るガソリン組成物の火花点火機関における使用が提供される。
【００２０】
火花点火機関は、２−ストローク機関または４−ストローク機関であってもよい。火花点火機関は、携帯型ガソリン動力ツールの一部であってもよい。火花点火機関は、園芸用具、林業用具、チェーンソー、刈払機、船外機、芝刈り機、ローントラクター、草刈り機、噴射式除雪機、スノーモービル、背負い式ブロワーまたはサッカー、水上スキー、ジェットスキー、モトクロス、コンクリートミキサー、発電機などのための機関からなるリストから選択され得る。
【００２１】
本発明の別の態様において、化石起源のものであってもよい小型エンジン用ガソリンである主要部分と、小割合の再生可能なナフサ蒸留物とを含む小型エンジン用ガソリン中の再生可能な成分としての再生可能なナフサ蒸留物の使用が提供され、ここで、再生可能なナフサ蒸留物は、９０ｖｏｌ％以上のＣ5〜Ｃ12パラフィン、３０ｖｏｌ％以上のＣ5〜Ｃ6パラフィン、５ｖｏｌ％以下のナフテン、１ｖｏｌ％以下の芳香族化合物、１ｖｏｌ％以下の含酸素添加剤を含んでいる。
【００２２】
再生可能なナフサ蒸留物は、３０〜２００℃、例えば９０〜２００℃、または４０〜１８０℃などである沸点範囲を有し得る。
【００２３】
再生可能なナフサ蒸留物の部分は、総計のガソリン組成物の１ｖｏｌ％以上、３ｖｏｌ％以上、好ましくは５ｖｏｌ％以上の量であり得る。
【発明を実施するための形態】
【００２４】
本発明の実施形態を記載するにあたって、特定の用語が明確性のために使用されるであろう。しかしながら、本発明は、そのように選択された特定の用語に限定されるものではなく、それぞれの特定の用語は、類似の目的を達成するために類似の様式で行われる全ての技術的等価物を含んでいるということが理解されるべきである。
【００２５】
本発明の目的の一つは、エンジン操作性、排出物および保管に関する困難な要素である、「グリーン」含量がより多くかつエタノールおよびＭＴＢＥなどの含酸素添加剤を含まない小型エンジン用ガソリンとして使用されるための仕様を満たす小型エンジン用ガソリンを提供することである。
【００２６】
したがって、本発明は、ガソリン組成物、特にはアルキレートガソリン組成物を製造するためのプロセスであって、（ａ）アルキレートベースのガソリン、（ｂ）再生可能なナフサ蒸留物、および（ｃ）少なくとも９５であるＲＯＮを有する一または複数のＣ6〜Ｃ12イソパラフィン、を混合することを含む。
【００２７】
少なくとも９５であるオクタン価（ＲＯＮ）を有するイソオクタンおよび／または一または複数のイソパラフィンが混合されているという条件で、約３５〜５０という低いオクタン価（ＲＯＮ）を典型的には有する再生可能なナフサ蒸留物が化石起源アルキレートベースのガソリンと混合され得て、かつ、オクタン価（ＲＯＮ）を依然として維持できるということが見出された。
【００２８】
アルキレートベースのガソリンは、ナフテン、芳香族化合物、および含酸素添加剤をほとんど含まないパラフィン系である。それは、いくつかの石油精製プロセス流から混合されている、典型的には粗油の直接的な蒸留、接触および熱分解、水素化分解、接触改質、アルキル化、ならびにポリマー化などの粗油の精製から得られ得る。その結果、アルキレートベースのガソリンは、例えば４０個または５０個よりも多い異なる化合物などの多くの種々の化合物を含む。例えば、それは４０〜１００個のあいだ、例えば４０〜８０個のあいだの異なる化合物を含み得る。それは、約３０℃または約３５℃である初留点（ＩＢＰ）、および約２００℃または約２０５℃である終点（ＦＢＰ）を有し得る。例えば、ガソリン組成物は、約３０℃以内、または約３５℃以内の初留点（ＩＢＰ）を有し、および約２００℃以内、または約２０５℃以内、例えば３０〜２０５℃以内である終点（ＦＢＰ）を有し得る。この蒸留範囲に存在する炭化水素は、通常、４または５つの炭素原子を含むものから、１０または１１または１２の炭素原子を含むものまでの範囲にわたる。
【００２９】
アルキレートベースのガソリンは、直鎖状のｎ−パラフィンであっても、また枝分かれ構造のイソパラフィンであってもよい、パラフィン（アルカン）から主に構成される。アルキレートベースのガソリンは、９０ｖｏｌ％以上のＣ5〜Ｃ12パラフィン、例えば９５ｖｏｌ％以上のＣ5〜Ｃ12パラフィン、または９８ｖｏｌ％以上のＣ5〜Ｃ12パラフィンであり得る。
【００３０】
アルキレートベースの燃料は、化石起源アルキレートベースのガソリンであってもよく、また、アルキレートベースの燃料の主要部分が、化石起源のものであってもよい。
【００３１】
主成分として含まれるパラフィンに加えて、アルキレートベースのガソリンはまた、非常に少ない含有量の、少なくとも一つの非芳香族環構造をもつアルカンであり、環構造が典型的には５または６個の炭素原子を有するナフテン（環状アルカン）を含んでいる。アルキレートベースのガソリンは、５ｖｏｌ％以下のナフテン、例えば１ｖｏｌ％以下のナフテン、または０．５ｖｏｌ％以下のナフテンを含み得る。
【００３２】
主成分として含まれるパラフィンに加えて、アルキレートベースのガソリンはまた、非常に少ない含有量の芳香族化合物を含む。芳香族化合物は、ベンゼン環または芳香族である他の環構造を有する。アルキレートベースのガソリンは、１ｖｏｌ％以下の芳香族化合物、例えば０．５ｖｏｌ％以下の芳香族化合物、または０．１ｖｏｌ％以下の芳香族化合物を有し得る。
【００３３】
主成分として含まれるパラフィンに加えて、アルキレートベースのガソリンはまた、非常に少ない含有量の含酸素添加剤を含む。含酸素添加剤は、化学構造の一部に酸素を含む有機分子であり、燃料の燃焼中に作り出される炭素酸化物および煤を減少させるためにガソリン添加物として通常使用される。アルキレートベースのガソリンは、１ｖｏｌ％以下の含酸素添加剤、例えば０．５ｖｏｌ％以下の含酸素添加剤、または０．１ｖｏｌ％以下の含酸素添加剤を含み得る。通常、アルキレートベースのガソリンは含酸素添加剤を全く含まない。
【００３４】
大部分の小型エンジンは、８７〜９２のオクタン価（（ＲＯＮ＋ＭＯＮ）／２）燃料で作動するようにデザインされているが、プレミアムオクタンアルキレートベースのガソリンはより高いオクタン価を有し得る。
【００３５】
アルキレートベースのガソリンは、少なくとも８７、例えば少なくとも９０であるリサーチオクタン価（ＲＯＮ）を有し得る。プレミアムオクタンアルキレートベースのガソリンは、９２以上、例えば９２より高い方が好まれる場合、例えば９３以上、例えば９３より高い、などのより高いオクタン価（ＲＯＮ）を有し得る。エンジンが想定されているよりも熱い状態で作動している場合、これは小型エンジンにおいては避けられるべきであるが、上昇したエンジン温度はプレイグニッションを防止するためにより高いオクタン価のガソリンを必要とするため、より高いオクタン価は有益である。より高いオクタン価はまた、アルキレートベースのガソリンを、例えば船外モーター、スノーモービル、水上スキー、ジェットスキー、モトクロスなどのより要求の高いタスクのために使用する場合にも望ましい。
【００３６】
アルキレートガソリンは、いくつかの国において、法律によって最大９８のオクタン価（ＲＯＮ）、例えば最大９５のオクタン価（ＲＯＮ）に制限されている。
【００３７】
測定されるオクタン価は、絶対的な数値ではなく、むしろ、定義によって０であるオクタン価（ＲＯＮおよびＭＯＮ）を有するｎ−ヘプタンと、定義によって１００であるオクタン価（ＲＯＮおよびＭＯＮ）を有する２，２，４−トリメチルペンタンとの混合物に対する相対値である。ＲＯＮ値は、低速度でのフルスケール火花点火機関のアンチノック性と相関する。リサーチオクタン価（ＲＯＮ）およびモーターオクタン価（ＭＯＮ）は共に、試験機関において測定されるが、ＭＯＮは、オクタン価が測定されるガソリンのアンチノック抵抗性により重きをおいてデザインされた条件下で測定される。したがって、ＭＯＮがＲＯＮよりも低いということがしばしば見受けられるが、ＲＯＮとＭＯＮとのあいだには直接的な結びつきは全くない。通常、最低のＲＯＮおよび最低のＭＯＮを両方とも特定する必要がある。
【００３８】
いくつかの場合において、アルキレートベースの燃料は、少なくとも８０または８５であるモーターオクタン価（ＭＯＮ）を有し得る。プレミアムオクタンアルキレートガソリンは、９０以上である、たとえば９０より高い、などのより高いモーターオクタン価（ＭＯＮ）を有し得る。
【００３９】
ガソリンの蒸気圧はまた、特に、小型エンジン中にしばしば存在している気化器を備える特定のエンジンに関連して重要な事項である。蒸気圧はしばしば季節ごとに処置される（冬季のガソリンではより高い蒸気圧、および夏季のガソリンではより低い蒸気圧）が、それでもガソリンとして最低の蒸気圧というものが存在する。ガソリンの高い蒸気圧は、ガソリンがエンジンの燃焼室内でガス状形状であることを確実にすることを助けている。
【００４０】
アルキレートベースのガソリンは、５０ｋＰａ以上、例えば少なくとも５５ｋＰａ以上、および最高で９５ｋＰａ、である蒸気圧を有し得る。本発明のガソリンは、５０ｋＰａ以上、例えば少なくとも５５ｋＰａ以上、および最高で９５ｋＰａ、である蒸気圧を有し得る。
【００４１】
アルキレートベースの燃料は、本発明にしたがって製造される総計のガソリン組成物の主要量として存在し得る。特には、それは、総計のガソリン組成物の４０ｖｏｌ％以上、例えば４５ｖｏｌ％以上、または５０ｖｏｌ％以上である量で存在し得る。アルキレートベースのガソリンはまた同様に、９０ｖｏｌ％以下、例えば８０ｖｏｌ％以下、または７０ｖｏｌ％以下、または６０ｖｏｌ％以下、である最大量で存在し得る。例えば、アルキレートベースのガソリンは、総計のガソリン組成物の４０〜９０ｖｏｌ％の量で、例えば総計のガソリン組成物の４５〜７０ｖｏｌ％の量で、存在していてもよい。
【００４２】
実施例１、実験１に示されているように、アルキル化ユニットから得られ、そしてその後さらに蒸留されるアルキレートガソリンがあり、および、ここで追加の成分が実施例１、実験１でアルキレートベースのガソリンのために示されている仕様を獲得するためにアルキレートガソリンへと導入され得る。アルキレートベースのガソリンは、９０ｖｏｌ％以上のＣ5〜Ｃ12パラフィン（示さず）、１ｖｏｌ％以下である芳香族化合物含有量、１ｖｏｌ％以下であるオレフィン含有量、５ｖｏｌ％以下であるナフテン含有量（示さず）、１ｖｏｌ％以下である含酸素添加剤含有量（示さず）を含み、および、５０ｋＰａより高い蒸気圧、少なくとも９２であるＲＯＮおよび少なくとも９０であるＭＯＮを有している。
【００４３】
上述のように、本発明のガソリン組成物を製造するためのプロセスは、（ａ）アルキレートベースのガソリン、（ｂ）再生可能なナフサ蒸留物、および（ｃ）少なくとも９５であるＲＯＮを有する一または複数のＣ6〜Ｃ12イソパラフィン、を混合することを含む。
【００４４】
再生可能なナフサ蒸留物は、再生可能なディーゼルの精製の一部として製造され得る。再生可能なディーゼルは、脂肪酸を含む、例えば動物性脂肪、藻類、および植物材料などの材料の処理から得られ得る。植物材料は、例えば植物油および他の植物から得られるオイル、例えば樹木からのオイル、例えばトール油などの植物ベースの材料の両方を含み得る。再生可能なディーゼルおよび再生可能なナフサ蒸留物は、脂肪酸、および例えばトリグリセリドなどの脂肪酸の誘導体の水素化処理から得られてもよい。脂肪酸およびその誘導体の水素化処理は、水素化脱酸素（ＨＤＯ）などの脱酸素化反応を含み、および、他の水素化処理反応、例えば異性化（例えば水素化異性化など）および分解（例えば水素化分解など）を含んでいてもよい。再生可能なディーゼルを精製する際に、再生可能なナフサ蒸留物が得られる。それは、約３０℃または約３５℃である初留点（ＩＢＰ）、および約２００℃または約２０５℃である終点（ＦＢＰ）を有し得る。例えば、ガソリン組成物は、約３０℃以内、または約３５℃以内の初留点（ＩＢＰ）を有し、および約２００℃以内、または約２０５℃以内、例えば３０〜２０５℃以内である終点（ＦＢＰ）を有し得る。この蒸留範囲に存在する炭化水素は、通常、４または５つの炭素原子を含むものから、１０または１１または１２の炭素原子を含むものまでの範囲にわたる。
【００４５】
例えば再生可能なナフサ蒸留物などの再生可能な燃料は、例えば石油ガソリンなどの、粗油の精製から得られる化石燃料とは反対に、人間の時間の尺度において自然に補充される資源から集められる。再生可能なナフサ蒸留物は、脂肪酸、ならびに、例えば動物性脂肪および植物材料などの脂肪酸を含有する材料中に存在する脂肪酸誘導体の、水素化脱酸素および水素化異性化を含む水素化処理から得られ得、そして、３０℃であるＩＢＰ、例えば３０℃以上であるＩＢＰおよび２００℃であるＦＢＰ、例えば２００℃以下であるＦＢＰを有する。再生可能な成分の含有量はまた、ＡＳＴＭ  Ｄ６８６６に記載されているように、14Ｃ、13Ｃ、および／または12Ｃを含む同位体分布によって決定され得る。
【００４６】
再生可能なナフサであるパラフィンが、例えば動物性脂肪および植物材料などの脂肪酸含有材料の処理から得られるため、再生可能なナフサ蒸留物は、ほとんどナフテンを含まず、かつ実質的に芳香族化合物および含酸素添加剤を全く含まないパラフィン系である。
【００４７】
再生可能なナフサ蒸留物は主に、パラフィン（アルカン）から構成されており、これは、直鎖状のｎ−パラフィンまたは枝分かれ構造のイソパラフィンであり得る。再生可能なナフサ蒸留物は、９０ｖｏｌ％以上のＣ5〜Ｃ12パラフィン、例えば９５ｖｏｌ％以上のＣ5〜Ｃ12パラフィン、または９８ｖｏｌ％以上のＣ5〜Ｃ12パラフィンを有し得る。
【００４８】
再生可能なナフサ蒸留物が、上記ｎように再生可能なディーゼルの精製の一部として製造された場合、３０ｖｏｌ％以上、例えば４０ｖｏｌ％以上のＣ5〜Ｃ6パラフィンを含み得る。
【００４９】
主成分として含まれているパラフィンに加えて、再生可能なナフサ蒸留物はまた、低い含有量の、少なくとも一つの非芳香族環構造をもつアルカンであり、環構造が典型的には５または６個の炭素原子を有するナフテン（環状アルカン）を含んでいる。再生可能なナフサ蒸留物は、５ｖｏｌ％以下のナフテン、例えば１ｖｏｌ％以下のナフテン、または０．５ｖｏｌ％以下のナフテンを含み得る。
【００５０】
主成分として含まれるパラフィンに加えて、再生可能なナフサ蒸留物はまた、非常に少ない含有量の芳香族化合物を含む。芳香族化合物は、ベンゼン環または芳香族である他の環構造を有する。再生可能なナフサ蒸留物は、１ｖｏｌ％以下の芳香族化合物、例えば０．５ｖｏｌ％以下の芳香族化合物、または０．１ｖｏｌ％以下の芳香族化合物を有し得る。
【００５１】
主成分として含まれるパラフィンに加えて、再生可能なナフサ蒸留物はまた、非常に少ない含有量の含酸素添加剤を含む。含酸素添加剤は、化学構造の一部に酸素を含む有機分子であり、燃料の燃焼中に作り出される炭素酸化物および煤を減少させるためにガソリン添加物として通常使用される。一般的な含酸素添加剤は、アルコール、エーテル、およびエステルを含む。再生可能なナフサ蒸留物は、１ｖｏｌ％以下の含酸素添加剤、例えば０．５ｖｏｌ％以下の含酸素添加剤、または０．１ｖｏｌ％以下の含酸素添加剤を含み得るが、含酸素添加剤を本質的に全く含まないことが好ましい。
【００５２】
実施例１、実験５には、再生可能なナフサ蒸留物の例が示されている。再生可能なナフサ蒸留物は、再生可能なディーゼルの精製の一部として製造され得る。このような製品は、Ｎｅｓｔｅ  ｒｅｎｅｗａｂｌｅ  ｎａｐｈｔｈａとの商品名（ＮｅｘＮａｐｈｔｈａとも知られている）の下で市販されており、Ｎｅｓｔｅ  Ｏｙｊ（フィンランド）によって製造されている。
【００５３】
下記の表１は、実施例１で使用された再生可能なナフサ蒸留物中の種々の炭化水素の正規化された体積パーセントの例を示している。
【００５４】
【表１】
2019534925.tif 000002
【００５５】
再生可能なナフサ蒸留物は、３５〜７０、例えば３０〜６０、または３５〜５０のＲＯＮおよび／またはＭＯＮを有し得る。再生可能なナフサ蒸留物のいくつかは、通常８７より高いオクタン価（（ＲＯＮ＋ＭＯＮ）／２）を必要としているところ、小型汎用エンジンで有益であるには低すぎるオクタン価である約３５〜４５であるＲＯＮおよび／またはＭＯＮを有している。
【００５６】
上記のとおり、ガソリンの蒸気圧は、小型汎用エンジンにおいて重要な事項である。再生可能なナフサ蒸留物は、３０ｋＰａより低い、例えば２５ｋＰａより低い、または例えば２０ｋＰａより低い蒸気圧を有し得る。再生可能なナフサの蒸気圧は同様にまた、１０Ｐａより高く、例えば１５ｋＰａより高い。このような蒸気圧は、例えば５０ｐＫａ以上、例えば５５ｐＫａ以上などのより高い蒸気圧をもつガソリンを必要としている小型汎用エンジンで有益であるには低すぎる。
【００５７】
再生可能なナフサ蒸留物は、総計のガソリン組成物の少なくとも１ｖｏｌ％以上、例えば少なくとも３ｖｏｌ％以上、または少なくとも５ｖｏｌ％で混合物に添加され得る。本発明のガソリン組成物の「グリーン」な／再生可能な部分を増加させるためにできるだけ多くの再生可能なナフサ蒸留物を添加することが可能であることが好ましい。いくつかの場合において、総計のガソリン組成物の最大２０ｖｏｌ％、例えば最大１５ｖｏｌ％、例えば１０ｖｏｌ％などが添加される。例えば、一または複数のイソパラフィンは、総計のガソリン組成物の１０〜３０ｖｏｌ％の範囲の量で混合され得る。
【００５８】
上記で記載したように、本発明のガソリン組成物を製造するための方法は、（ａ）アルキレートベースのガソリン、（ｂ）再生可能なナフサ蒸留物、および（ｃ）少なくとも９５であるＲＯＮを有する一または複数のＣ6〜Ｃ12イソパラフィン、を混合することを含む。
【００５９】
少なくとも９５であるＲＯＮを有する一または複数のＣ6〜Ｃ12イソパラフィンは、総計のガソリン組成物の１０〜３０ｖｏｌ％の範囲の量で混合される。少なくとも９５であるオクタン価（ＲＯＮ）を有するイソオクタンおよび／または一または複数のイソパラフィンが混合されているならば、典型的には約３５〜５０という低いオクタン価（ＲＯＮ）を有する再生可能なナフサ蒸留物が、化石起源アルキレートベースのガソリンと混合され得て、かつ、オクタン価（ＲＯＮ）をそれでも維持できるということが発見された。
【００６０】
少なくとも９５であるオクタン価（ＲＯＮ）を有する一または複数のイソパラフィンは、Ｃ6〜Ｃ12イソパラフィンから、例えば、２，３−ジメチルブタン、イソオクタン、２，２，４−トリメチルペンタン、２，３，３−トリメチルペンタン、２，２，３−トリメチルペンタン、２，２，３−トリメチルブタンからなるリストなどから選択され得る。これらのイソパラフィンは、少なくとも９５であるＲＯＮを有する。少なくとも９５であるオクタン価（ＲＯＮ）を有する一または複数のイソパラフィンは、２，２，４−トリメチルペンタンであり得る。少なくとも９５であるオクタン価（ＲＯＮ）を有する一または複数のイソパラフィンはまた、以下のオクタンの３つの異性体：２，２，４−トリメチルペンタン、２，３，３−トリメチルペンタン、２，２，３−トリメチルペンタンのうちの一または複数を表しているイソオクタンであってもよく、例えば２，２，４−トリメチルペンタンであってもよい。それは、例えば再生可能な供給源から得られるイソブタンおよびイソブテンなどのイソブタンまたはイソブテンの例えば二量化などの多くの経路によって、合成的に製造され得る。
【００６１】
本発明の発明者らは、少なくとも９５であるオクタン価（ＲＯＮ）を有するイソオクタンおよび／または一または複数のイソパラフィンをイソペンタンおよび／または一または複数のＣ4〜Ｃ5パラフィンと混合することによって、典型的には約３５〜５０である低いオクタン価（ＲＯＮ）および１５〜２５ｋＰａである低い蒸気圧を有する再生可能なナフサ蒸留物が化石起源アルキレートベースのガソリンと混合され得て、かつ、蒸気圧ばかりでなく例えばリサーチオクタン価（ＲＯＮ）およびモーターオクタン価（ＭＯＮ）などの重要なパラメータをそれでも維持できるということを見出した。驚くべきことに、高いオクタン価（ＲＯＮ＝１００）および低い蒸気圧（２０℃で５．５ｋＰａ）を有するイソオクタンを、より低いオクタン価（ＲＯＮ＝９２）およびより高い蒸気圧（２０℃で７７ｋＰａ）を有するイソペンタンに添加する効果は、ＲＯＮ、ＭＯＮおよび蒸気圧における効果を相殺せず、むしろ、イソオクタンおよびイソペンタンの組み合わせを添加しない場合と比べて再生可能なナフサのより高い混合比率および／またはより高いＲＯＮ、ＭＯＮおよび蒸気圧を可能にした、ということが発見された（イソオクタンおよびイソペンタンを使用しない実施例１、実験３をイソオクタンおよびイソペンタンが添加された実験７と比較のこと。関連するパラメータ：ＲＯＮ、ＭＯＮおよび蒸気圧は、添加なしの場合と比較してより高く、これは、再生可能なナフサのより高い混合比率が使用され得ることを意味している）。
【００６２】
したがって、本発明のプロセスはまた、（ｄ）１０ｖｏｌ％以上、例えば１０〜３５ｖｏｌ％以上のあいだなどの量である一または複数のＣ4〜Ｃ5パラフィン、を添加することをさらに含んでいてもよく、ここで、Ｃ4〜Ｃ5パラフィンは、イソペンタン、イソブタン、ｎ−ブタン、ネオペンタンからなるリストから選択される。例えば、一または複数のＣ4〜Ｃ5パラフィンは、イソペンタンであり得る。イソオクタンは、化石起源または再生可能な起源のものであってもよい。
【００６３】
イソオクタンおよび／またはイソペンタンの両方が再生可能な起源のものである場合、ガソリン組成物中の「グリーン」な／再生可能な含有物の割合は増加される。
【００６４】
上記で記載されたように、再生可能なナフサ蒸留物は、再生可能なディーゼルの精製の一部として製造され得、したがって、水素化脱酸素および水素化異性化を含む水素化処理に付されている。再生可能なナフサ蒸留物が例えば水素化異性化などの異性化反応に付されていた場合、再生可能なナフサ蒸留物は、１より大きい、例えば１．２より大きいなどのイソパラフィン／ｎ−パラフィン比率を含み得る。
【００６５】
再生可能なナフサ蒸留物の含有物は、優位には、初めの異性化比率を超えて、２より大きい、例えば５より大きい、８より大きい、１０より大きい、１５より大きい、２０より大きい、３０より大きいなどのイソパラフィン／ｎ−パラフィン比率を与えるように異性化され得る。異性化は、ナフサ蒸留物のｎ−ペンタンおよびｎ−ヘキサンである含有物の両方を異性化し、そしてそれにより、イソペンタンを生成し、ｎ−ヘキサンをイソヘキサンとして除去する。再生可能なナフサ蒸留物のさらなる異性化は生成物の損失をもたらすことはない（より狭い蒸留をまたは分解を伴う場合や、または、ｎ−パラフィンがモレキュラーシーブを用いて除去された場合はそうであろうが）。さらに、ナフサ蒸留物の異性化は再生可能なナフサ蒸留物からイソオクタンおよびイソペンタンのより高い含有量をもたらすため、それはイソオクタンおよび／またはイソペンタンの添加と共同作用で働き、再生可能なナフサ蒸留物のより大きな混合比率でさえも可能にする。
【００６６】
上記で記載されたように、本発明のガソリン組成物を製造するためのプロセスは、（ａ）アルキレートベースのガソリン、（ｂ）再生可能なナフサ蒸留物、および（ｃ）少なくとも９５であるＲＯＮを有する一または複数のＣ6〜Ｃ12イソパラフィン、および任意には（ｄ）一または複数のＣ4〜Ｃ5パラフィン、を混合することを含む。
【００６７】
したがって、本発明の別の態様において、本プロセスにしたがって得られ得るガソリン組成物が提供され、同様に、小型汎用エンジンに含まれるためのガソリン組成物が提供される。
【００６８】
ガソリン組成物は、（ａ）総計のガソリン組成物の４０〜９０ｖｏｌ％の範囲の量である、９０ｖｏｌ％以上のＣ5〜Ｃ12パラフィンを含む化石起源アルキレートベースのガソリン、（ｂ）総計のガソリン組成物の１〜１０ｖｏｌ％の範囲の量である、９０ｖｏｌ％以上のＣ5〜Ｃ12パラフィン、３０ｖｏｌ％以上のＣ5〜Ｃ6パラフィンを含む再生可能なナフサ蒸留物、および（ｃ）総計のガソリン組成物の１０〜３０ｖｏｌ％の範囲の量である、少なくとも９５であるＲＯＮを有する一または複数のＣ6〜Ｃ12イソパラフィンを含み、ここで、ガソリン組成物は、９０ｖｏｌ％以上のＣ5〜Ｃ12パラフィン、１ｖｏｌ％以下のナフテン、１ｖｏｌ％以下の芳香族化合物、１ｖｏｌ％以下の含酸素添加剤を含み、少なくとも９２、例えば少なくとも９３であるＲＯＮを有する。
【００６９】
一または複数のＣ6〜Ｃ12イソパラフィンは、２，３−ジメチルブタン、イソオクタン、２，２，４−トリメチルペンタン、２，３，３−トリメチルペンタン、２，２，３−トリメチルペンタン、２，２，３−トリメチルブタンからなるリストなどから選択され得、および、一または複数のＣ6〜Ｃ12イソパラフィンはイソオクタンであってもよい。
【００７０】
ガソリン組成物は、さらに、（ｄ）１０〜３５ｖｏｌ％の量である一または複数のＣ4〜Ｃ5パラフィン、を含んでいてもよく、ここで、Ｃ4〜Ｃ5パラフィンは、イソペンタン、イソブタン、ｎ−ブタン、ネオペンタンからなるリストから選択される。一または複数のＣ4〜Ｃ5イソパラフィンは、イソペンタンであってもよい。
【００７１】
本発明の別の態様において、本発明のプロセスにしたがって得られ得るガソリン組成物の使用、または、本発明のプロセスにしたがって得られ得るガソリン組成物の火花点火機関における使用が提供される。
【００７２】
火花点火機関は、２−ストローク機関または４−ストローク機関であってもよい。火花点火機関は、携帯型ガソリン動力ツールの一部であってもよい。火花点火機関は、園芸用具、林業用具、チェーンソー、刈払機、船外機、芝刈り機、ローントラクター、草刈り機、噴射式除雪機、スノーモービル、背負い式ブロワーまたはサッカー、水上スキー、ジェットスキー、モトクロス、コンクリートミキサー、または発電機のための機関からなるリストから選択され得る。例えば、火花点火機関は、５００ｃｍ3以下、例えば１００ｃｍ3以下などのシリンダー排気量を有し得る。チェーンソーおよび他の園芸用または林業用要部は、１００ｃｍ3以下であるリンダー排気量を有し得る。
【００７３】
本明細書中で記載されるまたは本発明にしたがって得られ得るガソリン組成物は、小型汎用エンジンに、特には小型汎用エンジンを備えている上記のアイテムに適しており、これは、これらのアイテムが主に冬または夏のあいだ使用される、または例えば発電機のようにまれに使用される、多くの場合において季節的なアイテムであるためである。これは、部分的には、ガソリン組成物における含酸素添加剤の不存在または非常に低い含有量のためである。エタノールなどの含酸素添加剤はしばしば、オクタン価を改善するために、オクタン価（ＲＯＮ）９５の無鉛レギュラーガソリンに添加され、そして、そのようなガソリンに添加されるバイオエタノールはまた、ガソリンの再生可能な分量を増加させ、およびしたがって、化石ガソリン製品の「グリーン」プロファイルを増加させる。しかしながら、エタノールは時間がたつにつれて水分を吸収し、これは腐食を引き起こし得、このようなアイテムの長期間の保存の後に問題を生じ得る。ガソリン組成物は、約３０℃または約３５℃である初留点（ＩＢＰ）、および約２００℃または約２０５℃、例えば３０〜２０５℃である終点（ＦＢＰ）を有し得る。例えば、ガソリン組成物は、約３０℃以内、または約３５℃以内の初留点（ＩＢＰ）を有し、および約２００℃以内、または約２０５℃以内、例えば３０〜２０５℃以内である終点（ＦＢＰ）を有し得る。
【００７４】
本発明の別の態様において、化石起源のものであってもよい小型エンジン用ガソリンである主要部分と、小割合の再生可能なナフサ蒸留物とを含む小型エンジン用ガソリン中の再生可能な成分としての再生可能なナフサ蒸留物の使用が提供され、ここで、再生可能なナフサ蒸留物は、９０ｖｏｌ％以上のＣ5〜Ｃ12パラフィン、３０ｖｏｌ％以上のＣ5〜Ｃ6パラフィン、５ｖｏｌ％以下のナフテン、１ｖｏｌ％以下の芳香族化合物、１ｖｏｌ％以下の含酸素添加剤を含んでいる。
【００７５】
再生可能なナフサ蒸留物は、３０〜２００℃、例えば９０〜２００℃、または４０〜１８０℃などである沸点範囲を有し得る。沸点範囲は、初留点（initial boiling point）（ＩＢＰ）および終点（final boiling point）（ＦＢＰ）とで示されている。この場合において、その沸点範囲は、３０〜２００℃以内、例えば９０〜２００℃以内、または４０〜１８０℃以内などであり得る。
【００７６】
再生可能なナフサ蒸留物の部分は、総計のガソリン組成物の１ｖｏｌ％以上、３ｖｏｌ％以上、好ましくは５ｖｏｌ％以上の量であり得る。
【００７７】
本発明の実施形態を記載するにおいて、全ての可能な実施形態の組み合わせおよび置換は明示的には述べられていない。しかしながら、特定の手段が相互に異なる従属項に列挙されている、または異なる実施形態に記載されているという単なる事実は、これらの手段の組み合わせが利益をもたらすために使用できないということを示すものではない。本発明は、記載されている実施形態の全ての可能な組み合わせおよび置換を想定している。
【００７８】
本明細書中における用語「含む（comprising）」、「含む（comprise）」および「含む（comprises）」は、全ての場合において、用語「からなる（consisting of）」、「からなる（consist of）」、「からなる（consists of）」と、それぞれ任意には置き換え可能であることが発明者によって意図されている。
【００７９】
実施例
アルキレートベースのガソリン（Ｎｅｓｔｅ  Ｏｙｊ、Ｎａａｎｔａｌｉより入手された化石由来の軽質アルキレート留分）の、一または複数の再生可能なナフサ蒸留物（前述の表１に示されている組成を有する）との多数の混合物が、以下の表２に示されるように調製された。
【００８０】
【表２】
2019534925.tif 000003
【００８１】
密度はＥＮＩＳＯ１２１８５にしたがって、蒸気圧はＥＮ１３０１６−１にしたがって、ＤＩＳ−Ｅ７０およびＤＩＳ−１００はＥＮＩＳＯ３４０５にしたがって、ＲＯＮｃはＥＮＩＳＯ５１６４にしたがって、ＭＯＮｃはＥＮＩＳＯ５１６３にしたがって、および、芳香族化合物、ｎ−ヘキサン、ベンゼン、シクロアルカンおよびパラフィンはＥＮＩＳＯ２２８５４にしたがって、測定された。
【００８２】
イソペンタン、イソオクタン、およびアルキレートベースのガソリンの混合物の添加は、純粋なアルキレート燃料としての燃料を維持しながら、ならびに同時に蒸気圧、ＲＯＮおよびＭＯＮに関する仕様を満たしながら、５％以上の再生可能なナフサ蒸留物の混合を可能にし得る。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
（ａ）９０ｖｏｌ％以上のＣ5〜Ｃ12パラフィン、
５ｖｏｌ％以下のナフテン、
１ｖｏｌ％以下の芳香族化合物、
１ｖｏｌ％以下の含酸素添加剤
を含み、
ＲＯＮが少なくとも８７である
化石起源のアルキレートベースのガソリンであって、アルキレートベースの燃料が総計のガソリン組成物の４０〜８０ｖｏｌ％の範囲の量であるアルキレートベースのガソリン、
（ｂ）９０ｖｏｌ％以上のＣ5〜Ｃ12パラフィン、
３０ｖｏｌ％以上のＣ5〜Ｃ6パラフィン、
５ｖｏｌ％以下のナフテン、
１ｖｏｌ％以下の芳香族化合物、
１ｖｏｌ％以下の含酸素添加剤
を含む再生可能なナフサ蒸留物であって、総計のガソリン組成物の３ｖｏｌ％以上の量である再生可能なナフサ蒸留物、および
（ｃ）少なくとも９５であるＲＯＮを有する一または複数のＣ6〜Ｃ12イソパラフィンであって、総計のガソリン組成物の１０〜３０ｖｏｌ％の範囲の量であるＣ6〜Ｃ12イソパラフィン、
を混合することを含み、
前記再生可能なナフサ蒸留物が、前記総計のガソリン組成物の３ｖｏｌ％以上の量であり、および
前記再生可能な成分の含有量が、ＡＳＴＭ  Ｄ６８６６に記載されているように、14Ｃ、13Ｃ、および／または12Ｃを含む同位体分布によって決定される
ガソリン組成物を製造するための方法。
【請求項２】
前記一または複数のＣ6〜Ｃ12イソパラフィンが、２，３−ジメチルブタン、イソオクタン、２，２，４−トリメチルペンタン、２，３，３−トリメチルペンタン、２，２，３−トリメチルペンタン、２，２，３−トリメチルブタンからなるリストから選択される請求項１記載の方法。
【請求項３】
前記一または複数のＣ6〜Ｃ12イソパラフィンがイソオクタンである請求項１または２のいずれか１項に記載の方法。
【請求項４】
（ｄ）１０〜３５ｖｏｌ％の量である一または複数のＣ4〜Ｃ5パラフィン
をさらに含み、ここで、前記Ｃ4〜Ｃ5パラフィンは、イソペンタン、イソブタン、ｎ−ブタン、ネオペンタンからなるリストから選択される請求項１〜３のいずれか１項に記載の方法。
【請求項５】
前記Ｃ4〜Ｃ5パラフィンがイソペンタンである請求項４記載の方法。
【請求項６】
前記再生可能なナフサ蒸留物が、１より大きい、例えば１．２より大きいイソパラフィン／ｎ−パラフィン比率を含む請求項１〜５のいずれか１項に記載の方法。
【請求項７】
前記再生可能なナフサ蒸留物が、３５〜６０、例えば３５〜５０のＲＯＮを有する請求項１〜６のいずれか１項に記載の方法。
【請求項８】
前記ガソリン組成物が、
９０ｖｏｌ％以上のＣ5〜Ｃ12パラフィン、
１ｖｏｌ％以下のナフテン、
１ｖｏｌ％以下の芳香族化合物、
１ｖｏｌ％以下の含酸素添加剤、
少なくとも９２であるＲＯＮ、
少なくとも５０ｐＫａ、好ましくは少なくとも５３ｋＰａ、例えば少なくとも５５ｐＫａである蒸気圧、および
任意には少なくとも９０であるＭＯＮ
を含み、ここで蒸気圧は２０℃で測定されている請求項１〜７のいずれか１項に記載の方法。
【請求項９】
前記化石起源のアルキレートベースのガソリンが５０ｐＫａ以上の蒸気圧を含み、および／または、前記再生可能なナフサ蒸留物が３５〜６０のＲＯＮを有し、ここで蒸気圧は２０℃で測定されている請求項１〜８のいずれか１項に記載の方法。
【請求項１０】
（ａ）総計のガソリン組成物の４０〜８０ｖｏｌ％の範囲の量である、９０ｖｏｌ％以上のＣ5〜Ｃ12パラフィンを含む化石起源のアルキレートベースのガソリン、
（ｂ）総計のガソリン組成物の３〜１０ｖｏｌ％の範囲の量である、９０ｖｏｌ％以上のＣ5〜Ｃ12パラフィンと、３０ｖｏｌ％以上のＣ5〜Ｃ6パラフィンとを含む再生可能なナフサ蒸留物、および
（ｃ）総計のガソリン組成物の１０〜３０ｖｏｌ％の範囲の量である、少なくとも９５であるＲＯＮを有する一または複数のＣ6〜Ｃ12イソパラフィン
を含む小型汎用エンジンのためのガソリン組成物であって、
前記ガソリン組成物が、
９０ｖｏｌ％以上のＣ5〜Ｃ12パラフィン、
１０〜３０ｖｏｌ％以上のＣ6〜Ｃ12イソパラフィン、
１ｖｏｌ％以下のナフテン、
１ｖｏｌ％以下の芳香族化合物、
１ｖｏｌ％以下の含酸素添加剤、
少なくとも９３であるＲＯＮ
を含み、
前記再生可能な成分の含有量が、ＡＳＴＭ  Ｄ６８６６に記載されているように、14Ｃ、13Ｃ、および／または12Ｃを含む同位体分布によって決定される
ガソリン組成物。
【請求項１１】
前記一または複数のＣ6〜Ｃ12イソパラフィンが、２，３−ジメチルブタン、イソオクタン、２，２，４−トリメチルペンタン、２，３，３−トリメチルペンタン、２，２，３−トリメチルペンタン、２，２，３−トリメチルブタンからなるリストから選択される請求項１０記載のガソリン組成物。
【請求項１２】
前記一または複数のＣ6〜Ｃ12イソパラフィンがイソオクタンである請求項１１記載の方法。
【請求項１３】
（ｄ）１０〜３５ｖｏｌ％の量である一または複数のＣ4〜Ｃ5パラフィン
をさらに含み、ここで、前記Ｃ4〜Ｃ5パラフィンは、イソペンタン、イソブタン、ｎ−ブタン、ネオペンタンからなるリストから選択される請求項１０〜１２のいずれか１項に記載のガソリン組成物。
【請求項１４】
前記Ｃ4〜Ｃ5パラフィンがイソペンタンである請求項１３記載のガソリン組成物。
【請求項１５】
請求項１０〜１４のいずれか１項に記載のガソリン組成物または請求項１〜９のいずれか１項に記載の方法により製造されるガソリン組成物の、火花点火機関における使用。
【請求項１６】
前記火花点火機関が、２−ストローク機関または４−ストローク機関である請求項１５記載の使用。
【請求項１７】
前記火花点火機関が、携帯型ガソリン動力ツールの一部であり、および／または、前記火花点火機関は、５００ｃｍ3以下のシリンダー排気量を有する請求項１５または１６記載の使用。
【請求項１８】
前記火花点火機関が、園芸用具、林業用具、チェーンソー、刈払機、船外機、芝刈り機、ローントラクター、草刈り機、噴射式除雪機、スノーモービル、背負い式ブロワーまたはサッカー、水上スキー、ジェットスキー、モトクロス、コンクリートミキサー、または発電機のための機関からなるリストから選択される請求項１５〜１７のいずれか１項に記載の使用。
【請求項１９】
化石起源の小型エンジン用ガソリンである主要部分と、小割合の再生可能なナフサ蒸留物とを含む小型エンジン用ガソリン中の再生可能な成分としての再生可能なナフサ蒸留物の使用であって、
前記再生可能なナフサ蒸留物が、
９０ｖｏｌ％以上のＣ5〜Ｃ12パラフィン、
３０ｖｏｌ％以上のＣ5〜Ｃ6パラフィン、
５ｖｏｌ％以下のナフテン、
１ｖｏｌ％以下の芳香族化合物、
１ｖｏｌ％以下の含酸素添加剤
を含み、
前記再生可能なナフサ蒸留物部分が、前記総計のガソリン組成物の３ｖｏｌ％以上の量であり、および
前記再生可能な成分の含有量が、ＡＳＴＭ  Ｄ６８６６に記載されているように、14Ｃ、13Ｃ、および／または12Ｃを含む同位体分布によって決定される使用。
【請求項２０】
前記再生可能なナフサ蒸留物が、３０〜２００℃、好ましくは４０〜１８０℃である沸点範囲を有する請求項１９記載の使用。
【国際調査報告】
2019534925.tif 000004
2019534925.tif 000005
2019534925.tif 000006